(57)【特許請求の範囲】
【請求項１】
シートが二つ折りにされ表紙と裏表紙を有するように形成され、少なくとも表紙に刺繍体を有する電報用台紙において、
少なくとも表紙側のシートが基シートと上面シートからなり、上面シートに窓孔を形成すると共に、該窓孔よりも大きい孔を前記基シートに設ける一方、前記上面シートの裏面側にその上面シートの窓孔よりも大きい刺繍体を配置すると共に、前記基シートの孔にその孔を塞ぐ蓋部材を嵌合または貼着することにより上記刺繍体を狭持させ、この状態で前記上面シートが表側になるように表紙のシートと裏表紙のシートを二つ折りし、
二つ折りにされた前記シート内面に、見返り紙をその外側端部分が裏表紙の外側端部からはみ出すようにして貼着し、はみ出した部分を当該裏表紙の内面側に折り返して電報文面の収納部に形成したことを特徴とする刺繍電報用台紙。
【発明の詳細な説明】
【０００１】
【発明の属する技術分野】
本発明は、刺繍体を具備したいわゆる刺繍電報用の台紙に関する。
【０００２】
【従来の技術】
従来から電報用台紙の装飾手段として刺繍体を用いたものには、実公平６−１９５８８号公報に開示されたものなどが公知である。この公知例は、電報用台紙となるベースシートの全体に、不織布または織り布の裏面に紙などの裏打ちシートを貼着した複合シートに刺繍を施した刺繍体を貼着した構成であるので、それなりの効果が得られるが、ベースシートの全体に刺繍体が貼着される構成であるため、他の装飾体、例えば絵や押花などでは得られない装飾効果があるものの、その装飾効果は、ベースシートの全体に貼着された刺繍体に依存し、発揮できる趣味性や興趣に限界があった。
【０００３】
また、従来からの刺繍を装飾体とする台紙に保持させた電報は、その台紙に電報文を表示した電報文面を糊等の手段により貼着していたので、その電報文面を台紙から取り外すことは困難であった。
【０００４】
【発明が解決しようとする課題】
本発明は上記のような従来公知の刺繍を装飾体として具備した電報用台紙の問題点に鑑み、簡単な構造で趣味性が高く、また充分な興趣も得られるような形態で刺繍体を具備するとともに、電報文面を台紙に確実に保持させることができる一方、台紙から容易かつ奇麗に取り外すことが出来る刺繍を装飾体とする電報用台紙を提供することをその課題とするものである。
【０００５】
【課題を解決するための手段】
上記課題を解決することを目的としてなされた本発明刺繍電報用台紙の構成は、シートが二つ折りにされ表紙と裏表紙を有するように形成され、少なくとも表紙に刺繍体を有する電報用台紙において、
少なくとも表紙側のシートが基シートと上面シートからなり、上面シートに窓孔を形成すると共に、該窓孔よりも大きい孔を前記基シートに設ける一方、前記上面シートの裏面側にその上面シートの窓孔よりも大きい刺繍体を配置すると共に、前記基シートの孔にその孔を塞ぐ蓋部材を嵌合または貼着することにより上記刺繍体を狭持させ、この状態で前記上面シートが表側になるように表紙のシートと裏表紙のシートを二つ折りし、
二つ折りにされた前記シート内面に、見返り紙をその外側端部分が裏表紙の外側端部からはみ出すようにして貼着し、はみ出した部分を当該裏表紙の内面側に折り返して電報文面の収納部に形成したことを特徴とするものである。
【０００６】
【発明の実施の形態】
以下、本発明の実施の形態を図を参照しつつ説明する。図１は本発明の一例の電報用台紙を表紙側から見た傾斜図、図２は図１の電報用台紙を見開き状態に開いた状態の内面側を示す斜視図、図３は図２のＡ−Ａ断面図、図４は本発明台紙に電報文面を保持させた見開き状態の正面図、図５，図６は電報文面保持部の構造を説明するための要部の正面図である。
【０００７】
図１，図２に示すように本発明の電報用台紙はシートを二つ折りにした状態の表紙１と裏表紙２により構成される。表紙１にはそこに装丁した刺繍体３が見えるように、その上面シート1aのほぼ中央部位に意匠効果を狙った窓孔４が明けられている。ここで、上面シート1aに形成する窓孔４の大きさは任意であるが、刺繍体３は、その窓孔４よりも大きく形成されたものを使用する。
【０００８】
表紙１の裏側には、図２の見開き状態の図に示すように、上面シート1aの裏面に貼合された基シート1bがあって、ここでは前記窓孔４より十分に大きなほぼ矩形の孔５が当該シート1bに設けられている。基シート1bの孔５の大きさは刺繍体３よりも大きければ必要かつ十分であるが、その形状は任意である。図示した例において、上面シート1aと基シート1bとは、表紙１から裏表紙２に亘って設けられているが、本発明における上面シート1aと基シート1bの積層構造は、表紙１だけの場合もある。また、表紙１側の基シート1bにおける孔５は従来公知の方法で設けることができるが、作業性等の面から打ち抜きにより設けることが好ましい。この場合、打ち抜き等により除かれる部分は刺繍体３を押さえる蓋部材６として使用することができる。本発明において、蓋部材６はこれに限定されるものではなく、別に成形されたものを用いることもできる。
【０００９】
本発明においては、図３に例示したように、少なくとも表紙１側のシートは、上面シート1aと基シート1bより構成されており、上面シート1aの窓孔４と基シート1bの孔５が上述した方法で設けられている。具体的には、上面シート1aの側から上面シート1aの窓孔４を打ち抜く。この場合、上面シート1aだけを打ち抜いてもよいし、基シート1bと一緒に打ち抜いても良い。また、基シート1bの孔５はこの基シート1bのみを打ち抜くことにより設けなければならない。基シート1bの側から上面シート1aと一緒に窓孔４より大きい孔５を打ち抜くと、上面シート1aの裏側に刺繍体３を貼着する部位が無くなるからである。なお、図３において、1cは２つ折りしたシートの背、1dは２つ折りの溝である。
【００１０】
刺繍体３を取り付ける方法は、表紙１における基シート1bの側（上面シート1aの裏側）より刺繍体３の表面が表紙１の外面側を向くように配置して貼着する。貼着する方法は糊や両面テープ等適宜の方法でよい。このようにして、刺繍体３を貼着した後に、蓋部材６を基シート1bの孔５に嵌合する。蓋部材６は嵌合のみ、あるいは、仮接着して後から取り外せるようにもできる一方、糊や両面テープなどにより上面シート1aと刺繍体３の裏面に貼着してしまうこともできる。
【００１１】
ここで、上記の表紙１や裏表紙２については、その内面側、又は、外面側、若しくは、本発明台紙の全体を織布や紙等で覆っても良い。また、この台紙は、そのままの状態、或は、織布や不織布等で覆った後に必要な印刷を行うことができる。
【００１２】
次に、本発明の電報用台紙は、電報文収納部７に電報文面８を収納する構成を具備しているので、図４〜図６により電報文収納部７について説明する。
【００１３】
上述した本発明台紙は、表紙１と裏表紙２を見開いた状態で窓孔４，孔５を明ける前、または明けた後の内面側全面に見返し紙９を貼着するが、本発明では図５に示すように、該見返し紙９を裏表紙２の外側端（図の右側）から適宜量はみ出すように見返し紙９の大きさを予め整えておき、表紙１と裏表紙２の裏側に貼着する。そうすると図５に示すように、裏表紙２の外側端から外側にはみ出し部9aが形成される。このはみ出し部9aは、図６に示すように、当該裏表紙２の内側（裏面側）に折り返し、その上下部を裏表紙２の内面などに貼着することなどにより止めて袋状部を形成し、これを電報文収納部７とするのである。
【００１４】
【発明の効果】
以上に述べたように、本発明の刺繍電報用台紙は、表紙側の窓側より刺繍体が見えるので趣味性に豊み、また、表紙には、前記刺繍体のほか表面を布や紙等で覆ったり印刷を施すことが出来るので見栄えもよい。また、刺繍体を装丁する窓孔は打ち抜き等の簡便な方法で作成することが出来る。
【００１５】
さらに、本発明の電報用台紙は見返し紙により形成した電報文収納部を設けてあるので、電報を見栄え良くかつ確実に収納保持でき、電報文面を台紙から容易に取り外すことが出来る。
【図面の簡単な説明】
【図１】本発明の一例の電報用台紙を表紙側から見た傾斜図。
【図２】図１の電報用台紙を見開き状態に開いた状態の内面側を示す斜視図。
【図３】図２のＡ−Ａ断面図。
【図４】本発明台紙に電報文面を保持させた見開き状態の正面図。
【図５】電報文面保持部の構造を説明するための要部の正面図。
【図６】電報文面保持部の要部の正面図。
【符号の説明】
１    表紙
1a    上面シート
1b    基シート
２    裏表紙
３    刺繍体
４    上面シートの窓孔
５    基シートの孔
６    蓋部材
７    電報文収納部
８    電報文面
９    見返し紙
9a    はみ出し部
【図１】
0004203577.tif 000002
【図２】
0004203577.tif 000003
【図３】
0004203577.tif 000004
【図４】
0004203577.tif 000005
【図５】
0004203577.tif 000006
【図６】
0004203577.tif 000007